【手続補正書】
【提出日】平成26年4月30日(2014.4.30)
【手続補正１】
【補正対象書類名】特許請求の範囲
【補正対象項目名】全文
【補正方法】変更
【補正の内容】
【特許請求の範囲】
【請求項１】
遊技領域に設けられた始動口と、
遊技者が視認できるかたちで所定の演出画像が表示される演出表示手段と、
前記始動口への始動入賞に基づいて抽選を行う抽選手段、
前記抽選の結果が第１当りであるときに、所定の特典が付与されうる機会を提供する第１の利益を遊技者に付与する第１利益付与手段、及び
前記抽選の結果が第２当りであるときに、所定の特典が付与されうる機会を提供するものの、前記第１の利益よりも利益度合いが低い第２の利益を遊技者に付与する第２利益付与手段、
を少なくとも有し、遊技の進行を制御する主制御手段と、
前記主制御手段から前記抽選の結果情報を受けて、前記抽選の結果を示す演出画像を前記演出表示手段にて表示しうる演出制御手段と、
を備え、
前記演出制御手段は、前記抽選の結果を示す演出画像を表示しうるものの、前記主制御手段から受信した前記抽選の結果情報が前記第１当りまたは前記第２当りを示す情報であるときに、該第１当りと該第２当りとのうちいずれが当選されたかの情報を含まずに、前記抽選に当選したことを示す当り演出画像を、前記第１の利益または前記第２の利益の付与に先だって表示する手段を有し、
さらに、
前記演出表示手段では前記第１当りと前記第２当りとのうちいずれが当選されたかの情報が含まれない演出画像が表示されるものの、前記第１当りと前記第２当りとのうちいずれが当選されたかも含めて、遊技者が視認できるかたちで前記抽選の結果情報が表示される結果情報表示手段を備えており、
前記結果情報表示手段は、点灯または／および消灯される複数のＬＥＤから構成されるものであり、
前記主制御手段は、
８ビットのデータ信号を用いて前記複数のＬＥＤの各々を点灯または消灯を制御し、該複数のＬＥＤを全体で見たときに文字情報として認識できない複数の表示パターンのうちいずれかを前記抽選の結果に基づいて表示する結果情報表示制御手段、及び
前記抽選の結果が第３当りであるときに、所定の特典が付与されうる機会を提供するものの、前記第２の利益とは別の利益として、前記第１の利益よりも利益度合いが低い第３の利益を遊技者に付与する第３利益付与手段、
を有し、
前記第１当りと前記第２当りと前記第３当りとのうちいずれが当選されたかも含めて前記結果情報表示手段にて前記抽選の結果情報を表示しつつも、前記抽選の結果が前記第１当り、前記第２当りまたは前記第３当りであるときに該第１当りと該第２当りと該第３当りとのうちいずれが当選されたかを、前記結果情報表示手段における表示パターンからは一見して区別し難くなるようにした
ことを特徴とする遊技機。
【請求項２】
前記抽選手段は、
前記始動口への始動入賞に基づいて乱数を取得し、該取得した乱数を用いて前記抽選を行う
請求項１に記載の遊技機。
【請求項３】
前記演出画像表示手段は、液晶表示器である
請求項１または２に記載の遊技機。
【手続補正２】
【補正対象書類名】明細書
【補正対象項目名】０００６
【補正方法】変更
【補正の内容】
【０００６】
しかしながら、このような公知の遊技機では、遊技様態を外部に出力しない期間内において次のような問題点が生ずるおそれがある。すなわち、例えばホール従業員が遊技者の意に反して不正に遊技機の内部状態である遊技様態を変更しようとした際に、その遊技者がこの不正行為に気付かないおそれがあるのである。具体的には、例えばホールの従業員が遊技機の不具合対処を装って、遊技様態が内部的に確率変動状態となっている遊技機に対していわゆるＲＡＭクリア処理（初期化処理）を行うことで、遊技者にとって不利な低確率状態に変更されてしまうおそれがある。このような不正が行われたのでは、大当たりにより本来享受することができたはずの利益を享受することができなくなってしまい、興趣が低下するおそれがあった。
【手続補正３】
【補正対象書類名】明細書
【補正対象項目名】０００７
【補正方法】変更
【補正の内容】
【０００７】
そこで本発明は、興趣の低下を抑制することを目的としたものである。
【手続補正４】
【補正対象書類名】明細書
【補正対象項目名】０００８
【補正方法】変更
【補正の内容】
【０００８】
請求項１の遊技機は、遊技領域に設けられた始動口と、遊技者が視認できるかたちで所定の演出画像が表示される演出表示手段と、前記始動口への始動入賞に基づいて抽選を行う抽選手段、前記抽選の結果が第１当りであるときに、所定の特典が付与されうる機会を提供する第１の利益を遊技者に付与する第１利益付与手段、及び前記抽選の結果が第２当りであるときに、所定の特典が付与されうる機会を提供するものの、前記第１の利益よりも利益度合いが低い第２の利益を遊技者に付与する第２利益付与手段、を少なくとも有し、遊技の進行を制御する主制御手段と、前記主制御手段から前記抽選の結果情報を受けて、前記抽選の結果を示す演出画像を前記演出表示手段にて表示しうる演出制御手段と、を備え、前記演出制御手段は、前記抽選の結果を示す演出画像を表示しうるものの、前記主制御手段から受信した前記抽選の結果情報が前記第１当りまたは前記第２当りを示す情報であるときに、該第１当りと該第２当りとのうちいずれが当選されたかの情報を含まずに、前記抽選に当選したことを示す当り演出画像を、前記第１の利益または前記第２の利益の付与に先だって表示する手段を有し、さらに、前記演出表示手段では前記第１当りと前記第２当りとのうちいずれが当選されたかの情報が含まれない演出画像が表示されるものの、前記第１当りと前記第２当りとのうちいずれが当選されたかも含めて、遊技者が視認できるかたちで前記抽選の結果情報が表示される結果情報表示手段を備えており、前記結果情報表示手段は、点灯または／および消灯される複数のＬＥＤから構成されるものであり、前記主制御手段は、８ビットのデータ信号を用いて前記複数のＬＥＤの各々を点灯または消灯を制御し、該複数のＬＥＤを全体で見たときに文字情報として認識できない複数の表示パターンのうちいずれかを前記抽選の結果に基づいて表示する結果情報表示制御手段、及び前記抽選の結果が第３当りであるときに、所定の特典が付与されうる機会を提供するものの、前記第２の利益とは別の利益として、前記第１の利益よりも利益度合いが低い第３の利益を遊技者に付与する第３利益付与手段、を有し、前記第１当りと前記第２当りと前記第３当りとのうちいずれが当選されたかも含めて前記結果情報表示手段にて前記抽選の結果情報を表示しつつも、前記抽選の結果が前記第１当り、前記第２当りまたは前記第３当りであるときに該第１当りと該第２当りと該第３当りとのうちいずれが当選されたかを、前記結果情報表示手段における表示パターンからは一見して区別し難くなるようにしたものである。
請求項２の遊技機は、請求項１の遊技機において、前記抽選手段が、前記始動口への始動入賞に基づいて乱数を取得し、該取得した乱数を用いて前記抽選を行うようにしたものである。
請求項３の遊技機は、請求項１又は２の遊技機において、前記演出表示手段を、液晶表示器としたものである。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】削除
【補正の内容】
【手続補正３７】
【補正対象書類名】明細書
【補正対象項目名】００４１
【補正方法】削除
【補正の内容】
【手続補正３８】
【補正対象書類名】明細書
【補正対象項目名】００４２
【補正方法】削除
【補正の内容】
【手続補正３９】
【補正対象書類名】明細書
【補正対象項目名】００４３
【補正方法】削除
【補正の内容】
【手続補正４０】
【補正対象書類名】明細書
【補正対象項目名】００４４
【補正方法】削除
【補正の内容】
【手続補正４１】
【補正対象書類名】明細書
【補正対象項目名】００４５
【補正方法】削除
【補正の内容】
【手続補正４２】
【補正対象書類名】明細書
【補正対象項目名】００４６
【補正方法】変更
【補正の内容】
【００４６】
本発明の遊技機は、興趣の低下を抑制できる。